(57)【要約】【課題】特に、誘導加熱コイルの冷却性能を向上し、且つ、誘導加熱コイルと駆動回路基板の発熱量のバランスが変化しても、容易に対応が可能とし、これらを安価に実現することを目的とする。【解決手段】誘導加熱コイル４の下方に前記誘導加熱コイル４を駆動する駆動回路を有する駆動回路基板５を備え、本体１の内部に前記誘導加熱コイル４と前記駆動回路基板５を風路的に分離する分離手段１６と、前記誘導加熱コイル４及び前記駆動回路基板５に冷却風を送風するファンユニット６を備えた誘導加熱調理器において、前記ファンユニット６はモータ７と二つのファン８、９等から構成され、二つのファン８、９はモータ７の上下に配置され、上のファン８が送風する冷却風１３と下のファン９が送風する冷却風１４とは前記分離手段１６により分離される構成とした。【選択図】  図１
2004296280.tif 000002
【特許請求の範囲】
【請求項１】
本体（１）の上面に調理用鍋（３）を載置するトッププレート（２）を備え、このトッププレート（２）の下方に誘導加熱コイル（４）を備え、前記誘導加熱コイル（４）の下方に前記誘導加熱コイル（４）を駆動する駆動回路を有する駆動回路基板（５）を備え、本体（１）の内部に前記誘導加熱コイル（４）と前記駆動回路基板（５）を風路的に分離する分離手段（１６）と、前記誘導加熱コイル（４）及び前記駆動回路基板（５）に冷却風を送風するファンユニット（６）を備えた誘導加熱調理器において、
前記ファンユニット（６）はモータ（７）と二つのファン（８）、（９）等から構成され、二つのファン（８）、（９）はモータ（７）の上下に配置され、上のファン（８）が送風する冷却風（１３）と下のファン（９）が送風する冷却風（１４）とは前記分離手段（１６）により分離される構成としたことを特徴とする誘導加熱調理器。
【発明の詳細な説明】
【０００１】
【発明の属する技術分野】
本発明は、誘導加熱調理器の冷却構造に関するものである。
【０００２】
【従来の技術】
誘導加熱調理器は、誘導加熱コイルに高周波電流を流して磁束を発生し、この誘導加熱コイルの近傍に配した金属負荷（調理用鍋等）に渦電流を発生させ、そのジュール熱によって金属負荷（調理用鍋等）自体が自己発熱することで、効率よく加熱することができる。
【０００３】
加熱動作を行うと、誘導加熱コイル、およびこの誘導加熱コイルを駆動する駆動回路を有する駆動回路基板に大きな電流が流れ、誘導加熱コイルおよび駆動回路基板が発熱し著しく温度上昇するので、冷却する必要がある。
【０００４】
従来の多くの誘導加熱調理器の冷却構造は、ファンユニットの送風により、先ず駆動回路基板を冷却し、その後誘導加熱コイルを冷却する構造であった。
【０００５】
近年、誘導加熱調理器は機能向上の一つとして大火力化等が要求され、大火力の製品が開発されて来ている。このため、前記したような従来の冷却構造では、大火力にすると、誘導加熱コイルおよび駆動回路基板の発熱が増加し、温度上昇が大きくなって、各部品の許容限度を超えてしまうので、これを防止するために誘導加熱コイルおよび駆動回路基板の冷却性能を向上する提案がなされている。
【０００６】
例えば、特許文献１に開示された誘導加熱調理器は、複数の誘導加熱コイルとこれらを駆動する駆動回路基板と二つのファンユニットを備え、前記ファンユニットの一つは前記複数の誘導加熱コイルを冷却し、他のファンユニットは前記駆動回路基板を冷却する構造として、誘導加熱コイルおよび駆動回路基板の冷却性能を向上している。
【０００７】
また、特許文献２に開示された誘導加熱調理器は、一つのファンユニットにより、誘導加熱コイルと駆動回路基板を冷却するに当たり、誘導加熱コイルを冷却するための送風経路と、駆動回路基板を冷却するための送風経路とを分離した冷却構造として、誘導加熱コイルおよび駆動回路基板の冷却性能を向上している。
【０００８】
【特許文献１】
特許第２６６６４８９号公報
【特許文献２】
特開平１１−８０５１号公報。
【０００９】
【発明が解決しようとする課題】
前述したように、特許文献１に開示された従来の誘導加熱調理器は、複数の誘導加熱コイルとこれらを駆動する駆動回路基板と二つのファンユニットを備え、前記ファンユニットの一つは前記複数の誘導加熱コイルを冷却し、他のファンユニットは前記駆動回路基板を冷却する構造として、誘導加熱コイルおよび駆動回路基板の冷却性能を向上するものであるが、ファンユニットが二つ必要なので、コスト的に高価となる。
【００１０】
また、特許文献２に開示された従来の誘導加熱調理器は、一つのファンユニットにより、誘導加熱コイルと駆動回路基板を冷却するに当たり、誘導加熱コイルを冷却するための送風経路と、駆動回路基板を冷却するための送風経路とを分離した冷却構造として、誘導加熱コイルおよび駆動回路基板の冷却性能を向上するものであり、ファンユニットが一つで構成されるので、コスト的には問題はないが、製品仕様の違い等により、誘導加熱コイルと駆動回路基板の発熱量のバランスが変化すると、容易に対応することができない。
【００１１】
本発明は、前記課題を解決するものであり、特に、誘導加熱コイルの冷却性能を向上し、且つ、誘導加熱コイルと駆動回路基板の発熱量のバランスが変化しても、容易に対応が可能とし、これらを安価に実現することを目的とする。
【００１２】
【課題を解決するための手段】
本発明は、上記の課題を解決するために、本体の上面に調理用鍋を載置するトッププレートを備え、このトッププレートの下方に誘導加熱コイルを備え、前記誘導加熱コイルの下方に前記誘導加熱コイルを駆動する駆動回路を有する駆動回路基板を備え、本体の内部に前記誘導加熱コイルと前記駆動回路基板を風路的に分離する分離手段と、前記誘導加熱コイル及び前記駆動回路基板に冷却風を送風するファンユニットを備えた誘導加熱調理器において、前記ファンユニットはモータと二つのファン等から構成され、二つのファンはモータの上下に配置され、上のファンが送風する冷却風と下のファンが送風する冷却風とは前記分離手段により分離される構成としたものである。
【００１３】
【発明の実施の形態】
本発明は、前述のように、本体の上面に調理用鍋を載置するトッププレートを備え、このトッププレートの下方に誘導加熱コイルを備え、前記誘導加熱コイルの下方に前記誘導加熱コイルを駆動する駆動回路を有する駆動回路基板を備え、本体の内部に前記誘導加熱コイルと前記駆動回路基板を風路的に分離する分離手段と、前記誘導加熱コイル及び前記駆動回路基板に冷却風を送風するファンユニットを備えた誘導加熱調理器において、前記ファンユニットはモータと二つのファン等から構成され、二つのファンはモータの上下に配置され、上のファンが送風する冷却風と下のファンが送風する冷却風とは前記分離手段により分離される構成としたものである。
【００１４】
これにより、特に、誘導加熱コイルの冷却性能を向上し、且つ、誘導加熱コイルと駆動回路基板の発熱量のバランスが変化しても、容易に対応が可能とし、これらを安価に実現することができる。
【００１５】
【実施例】
以下、本発明の実施例について、図面を参照して説明する。
図１は本発明の一実施例の誘導加熱調理器の側面断面図である。
【００１６】
図１において、１は本体である。２はトッププレートで、本体１の上面にあり、耐熱性の高い結晶化ガラス等で形成され、後記調理用鍋３を載置する。３は調理用鍋で、食材を入れる金属製の容器であり、トッププレート２上に載置されて加熱される。
【００１７】
４は誘導加熱コイルで、トッププレート２の下方にあり、上方のトッププレート２上に載置される調理用鍋３を誘導加熱方式により加熱する。
【００１８】
５は駆動回路基板で、誘導加熱コイル４の下方、詳しくは後記ケース１５の内部の手前側にあり、誘導加熱コイル４を駆動する駆動回路を有している。
【００１９】
６はファンユニットで、本体１の内部、詳しくは後記ケース１５の内部の奥側にあり、次記する部品で構成され、誘導加熱コイル４及び駆動回路基板５に送風して冷却する。
【００２０】
７はモータで、ファンユニット６の構成部品であり、後記ファン８、９を回転させる。
【００２１】
８、９はファンで、ファンニット６の構成部品であり、それぞれモータ７の上、下に配置され、モータ７により回転されて冷却風を発生させる。ファン８は誘導加熱コイル４の発熱と、誘導加熱コイル４に係る冷却風路等を勘案して、その形状を設定し、ファン９は駆動回路基板５の発熱と、駆動回路基板５に係る冷却風路等を勘案して、その形状を設定する。
【００２２】
１０はファンケースで、本体１の内部にあり、ファンユニット６の構成部品であり、モータ７、ファン８、９を収納する。１１、１２はファン吸気口で、ファンケース１０に設けられ、二つのファン８、９に対応している。
【００２３】
１３、１４は冷却風で、それぞれ上のファン８、下のファン９が送風する冷却風である。
【００２４】
１５はケースで、本体１の内部にあり、前記駆動回路基板５及びファンユニット６を収納する。
【００２５】
１６は分離手段で、本実施例では、駆動回路基板５上方のケース１５上壁により形成されており、誘導加熱コイル４と駆動回路基板５を風路的に分離するもので、上のファン８が送風する冷却風１３と下のファン９が送風する冷却風１４とを分離し、これによって、冷却風１３は誘導加熱コイル４に送風され、冷却風１４は駆動回路基板５に送風される。
【００２６】
尚、分離手段１６はケース１５の一部を用いるものに限るものではなく、要は誘導加熱コイル４と駆動回路基板５を風路的に分離するものであればよい。
【００２７】
１７は第一の開口部で、ケース１５の上前部に設けられ、ケース１５内部の駆動回路基板５を冷却した冷却風１４が通過する。第一の開口部１７を通過した冷却風１４は、冷却風１３と共に誘導加熱コイル４等を冷却し、その後本体１に設けられた排気口（図示せず）から外部に排出される。
【００２８】
１８は第二の開口部で、ケース１５上部のファン８の手前部分に設けられ、ファン８の送風する冷却風１３が通過する。
【００２９】
１９は吸気口で、ケース１５内に外気を吸気するため、ケース１５上後部に設けられた開口である。
【００３０】
以上の構成において、全体の動作および冷却動作を説明する。
【００３１】
使用者（図示せず）が食材を入れた調理用鍋３を誘導加熱コイル４上方のトッププレート２上に載置し、通電操作を行う。通電操作が行われると、駆動回路基板５内の駆動回路が動作して誘導加熱コイル４を駆動し、誘導加熱コイル４に電流が流れ、誘導加熱方式により調理用鍋３を加熱する。加熱に伴い、誘導加熱コイル４は流れる電流により発熱し、駆動回路基板５も誘導加熱コイル４に流れる電流が内部に流れて発熱する。
【００３２】
誘導加熱コイル４が駆動されると、ファンユニット６すなわちモータ７が動作し、モータ７によりファン８、９が回転し、ファン吸気口１１、１２を介して吸気口１９から外気を吸気し、それぞれ冷却風１３、１４を発生させる。
【００３３】
ファン８から発生した冷却風１３は、ケース１５上部のファン８の手前部分に設けられた第二の開口部１８を通過して、手前方向に送風され、ケース１５上壁により形成された分離手段１６の上方を流れ、送風ガイド等により誘導加熱コイル４に導かれて、誘導加熱コイル４を冷却し、その後本体１に設けられた排気口（図示せず）から外部に排出される。
【００３４】
一方、ファン９から発生した冷却風１４は、手前方向に送風され、ケース１５上壁により形成された分離手段１６の下方を流れ、ケース１５内部の駆動回路基板５を冷却し、ケース１５の上前部に設けられた第一の開口部１７を通過し、冷却風１３と共に誘導加熱コイル４等を冷却し、その後本体１に設けられた排気口（図示せず）から外部に排出される。
【００３５】
上記のように、誘導加熱コイル４用の冷却風１３と、駆動回路基板５用の冷却風１４とを別々に発生させ、且つ、分離手段１６を設けて冷却風１３と冷却風１４とを分離し、それぞれ誘導加熱コイル４と駆動回路基板５に送風する。
【００３６】
これにより、誘導加熱コイル４と駆動回路基板５は外気とほぼ同じ低温で直接冷却され、特に、誘導加熱コイル４の冷却性能が向上する。
【００３７】
また、同時に、誘導加熱コイル４用の冷却風１３を発生させるファン８と、駆動回路基板５用の冷却風１４を発生させるファン９とを別々に設けたので、個々にファン８、９の形状を変更して冷却風１３、冷却風１４の風量を変化させることができる。これにより、製品仕様の違い等によって、誘導加熱コイル４と駆動回路基板５の発熱量のバランスが変化しても、容易に対応が可能であり、これを一つのファンユニット６で実現できるので、安価に実現可能である。
【００３８】
【発明の効果】
以上述べたとおり、本発明によれば、本体の上面に調理用鍋を載置するトッププレートを備え、このトッププレートの下方に誘導加熱コイルを備え、前記誘導加熱コイルの下方に前記誘導加熱コイルを駆動する駆動回路を有する駆動回路基板を備え、本体の内部に前記誘導加熱コイルと前記駆動回路基板を風路的に分離する分離手段と、前記誘導加熱コイル及び前記駆動回路基板に冷却風を送風するファンユニットを備えた誘導加熱調理器において、前記ファンユニットはモータと二つのファン等から構成され、二つのファンはモータの上下に配置され、上のファンが送風する冷却風と下のファンが送風する冷却風とは前記分離手段により分離される構成としたものである。
【００３９】
これにより、特に、誘導加熱コイルの冷却性能を向上し、且つ、誘導加熱コイルと駆動回路基板の発熱量のバランスが変化しても、容易に対応が可能とし、これらを安価に実現することができるという効果を奏する。
【図面の簡単な説明】
【図１】本発明の一実施例の誘導加熱調理器の図である。
【符号の説明】
１  本体
２  トッププレート
３  調理用鍋
４  誘導加熱コイル
５  駆動回路基板
６  ファンユニット
７  モータ
８、９  ファン
１０  ファンケース
１３、１４  冷却風
１６  分離手段
【図１】
2004296280.tif 000003